(57)【要約】【課題】製造が容易で、綴杆を開き易い綴具を提供する。【解決手段】この発明の綴具１０は、複数の綴杆２０，４０が向き合う一対の綴杆部１２と、前記複数の綴杆を並列するための一対のベース部１４と、一対のベース部を回動自在に連設するヒンジ部１６とを備え、少なくとも一方の綴杆部１２は、複数の綴杆を開かせるために、綴杆を並列された方向であるベース部１４の長手方向において、綴杆を部分的に変移させて手前側から向こう側に綴杆の頂部１２２ｂ，１４２ｂを傾斜させる、傾斜移動手段１８を有し、傾斜移動手段１８によって傾斜した複数の綴杆２０と対向する複数の綴杆４０との間が離間し、且つ、ヒンジ部１６を中心にして開閉される。【選択図】図２
2014046527.tif 000002
【特許請求の範囲】
【請求項１】
複数の綴杆が向き合い且つ環状に閉じられる一対の綴杆部と、
前記一対の綴杆部を構成する複数の綴杆を並列するための一対のベース部と、
一対のベース部を回動自在に連設するヒンジ部とを備え、
一対の綴杆部のうち少なくとも一方の綴杆部は、複数の綴杆を開かせるために、綴杆を並列された方向であるベース部の長手方向において、綴杆を部分的に変移させて手前側から向こう側又は向こう側から手前側に綴杆の頂部を傾斜させる、傾斜移動手段を有し、
前記一対の綴杆部は、傾斜移動手段によって傾斜した複数の綴杆と対向する複数の綴杆との間が離間し、且つ、ヒンジ部を中心にして開閉される、綴具。
【請求項２】
前記傾斜移動手段は、
綴杆の根元部もしくは根元部の近傍において、綴杆を傾ける側及び／又は綴杆を傾ける側とは反対側に形成された凹部を含む、請求項１に記載の綴具。
【請求項３】
前記傾斜移動手段は、綴杆の根元部もしくは根元部の近傍を、ベース部の厚さ及び／又は綴杆の自由端もしくは自由端の近傍の厚さより薄くした、傾斜部を含む、請求項１又は請求項２に記載の綴具。
【請求項４】
前記一対の綴杆部は、一対の綴杆部のうち一方の綴杆の根元部と他方の綴杆の根元部とを、各綴杆の開く方向とは反対側に向けてずらせた、請求項１ないし請求項３のいずれかに記載の綴具。
【請求項５】
前記一方の綴杆の頂部と他方の綴杆の頂部とは、各々綴杆の開く方向とは反対側に向けて傾斜された、請求項４に記載の綴具。
【発明の詳細な説明】
【技術分野】
【０００１】
この発明は、ファイリング用の綴具に関するものであり、特に、例えばセルリング式ノート又は綴じ穴のあるリーフを綴じるファイル・バインダ類に用いられる綴具である。
【背景技術】
【０００２】
従来、リング状の部材を用いて、穴の開いたリーフを綴じていたノートは、そのリングの形状に沿って、３６０°リーフを広げること、すなわち開くだけでなく、リーフを折り返しノートの表面側と裏面側とを重ねることができ、１８０度しか開かないノートと比して半分のスペースで活用することができた。しかし、このセルリング式ノートは、リーフの差し替えができない欠点があった。
一方、実開平７−１７５７８号、特開２００７−５０６８４号、特許第３４４０３５６号及び特開２０１０−１２０３６７の綴具を用いたノート、すなわちリーフを綴じる綴杆部が開閉可能なノートは、リーフの差し替えが可能である。
【先行技術文献】
【特許文献】
【０００３】
【特許文献１】実開平７−１７５７８号
【特許文献２】特開２００７−５０６８４号
【特許文献３】特許第３４４０３５６号
【特許文献４】特開２０１０−１２０３６７号
【発明の概要】
【発明が解決しようとする課題】
【０００４】
実開平７−１７５７８号の綴具は、複数の綴環を起立した第１部材と第２部材とを共通の軸線で枢着している。したがって、第１部材と第２部材とは分離しないが、綴環１５，１７の基部に複数の綴環を連結する棒状の連結部を形成し、その連結部の内側面から張出部２３を突設しているために、例えば、机の上に置いて綴具を開こうとしても、綴環の基部の外側が机の面に突き出たり、綴環が充分開かず、リーフの出し入れが比較的困難である。また、合成樹脂による一体成形は、製造用金型が複雑な構造となり、困難である。
また、特開２００７−５０６８４号の綴じ具は、綴じリングを開きにくいきらいがある。
特許第３４４０３５６号の綴具は、複数の櫛部（２）を有する２本の主部材（１）からなる綴具であって、主部材（１ａ）の先端（７ａ）にスライド可能なリング部材（４）を設け、かつ、このリング部材（４）の内側の形状は主部材（１ａ）と主部材（１ｂ）とを一体に合わせた外形とほぼ同一もしくは少し小さなものであり、リーフの差し換えのために、２本の主部材を分離した後に、複数の櫛部の先端の嵌合手段を嵌合するときに、多くの櫛部を嵌合するために比較的手間がかかった。
また、特開２０１０−１２０３６７号の綴具は、部品点数が多く、製造時の組み立てが比較的困難である。
それゆえに、この発明の主たる目的は、製造が容易で、綴杆を開き易い綴具を提供することである。
【課題を解決するための手段】
【０００５】
この発明にかかる綴具は、複数の綴杆が向き合い且つ環状に閉じられる一対の綴杆部と、前記一対の綴杆部を構成する複数の綴杆を並列するための一対のベース部と、一対のベース部を回動自在に連設するヒンジ部とを備え、一対の綴杆部のうち少なくとも一方の綴杆部は、複数の綴杆を開かせるために、綴杆を並列された方向であるベース部の長手方向において、綴杆を部分的に変移させて手前側から向こう側又は向こう側から手前側に綴杆の頂部を傾斜させる、傾斜移動手段を有し、前記一対の綴杆部は、傾斜移動手段によって傾斜した複数の綴杆と対向する複数の綴杆との間が離間し、且つ、ヒンジ部を中心にして開閉される、綴具である。
この発明の請求項２にかかる綴具においては、前記傾斜移動手段は、綴杆の根元部もしくは根元部の近傍において、綴杆を傾ける側及び／又は綴杆を傾ける側とは反対側に形成された凹部を含む、請求項１に記載の綴具である。
この発明の請求項３にかかる綴具においては、前記傾斜移動手段は、綴杆の根元部もしくは根元部の近傍を、ベース部の厚さ及び／又は綴杆の自由端もしくは自由端の近傍の厚さより薄くした、傾斜部を含む、請求項１又は請求項２に記載の綴具である。
この発明の請求項４にかかる綴具においては、前記一対の綴杆部は、一対の綴杆部のうち一方の綴杆の根元部と他方の綴杆の根元部とを、各綴杆の開く方向とは反対側に向けてずらせた、請求項１ないし請求項３のいずれかに記載の綴具である。
この発明の請求項５にかかる綴具においては、前記一方の綴杆の頂部と他方の綴杆の頂部とは、各々綴杆の開く方向とは反対側に向けて傾斜された、請求項４に記載の綴具である。
【発明の効果】
【０００６】
この発明によれば、複数の綴杆が向き合い且つ環状に閉じられる一対の綴杆部と、前記一対の綴杆部を構成する複数の綴杆を並列するための一対のベース部と、一対のベース部を回動自在に連設するヒンジ部とを備え、一対の綴杆部のうち少なくとも一方の綴杆部は、複数の綴杆を開かせるために、綴杆を並列された方向であるベース部の長手方向において、綴杆を部分的に変移させて手前側から向こう側又は向こう側から手前側に綴杆の頂部を傾斜させる、傾斜移動手段を有し、前記一対の綴杆部は、傾斜移動手段によって傾斜した複数の綴杆と対向する複数の綴杆との間が離間し、且つ、ヒンジ部を中心にして開閉されるので、製造が容易で、綴杆を開き易い綴具を提供することができる。
請求項２の発明によれば、前記傾斜移動手段は、綴杆の根元部もしくは根元部の近傍において、綴杆を傾ける側及び／又は綴杆を傾ける側とは反対側に形成された凹部を含むので、閉じられた綴杆を、開く方向に撓めて容易に開くことができる。
請求項３の発明によれば、前記傾斜移動手段は、綴杆の根元部もしくは根元部の近傍を、ベース部の厚さ及び／又は綴杆の自由端もしくは自由端の近傍の厚さより薄くした、傾斜部を含むので、閉じられた綴杆を、開く方向に撓めて容易に開くことができる。
請求項４の発明によれば、前記一対の綴杆部は、一対の綴杆部のうち一方の綴杆の根元部と他方の綴杆の根元部とを、各綴杆の開く方向とは反対側に向けてずらせているので、閉じられた綴杆部の保持力が比較的強く、閉じられた綴杆を、開く方向に撓めて容易に開くことができる。
請求項５の発明によれば、前記一方の綴杆の頂部と他方の綴杆の頂部とは、各々綴杆の開く方向とは反対側に向けて傾斜されているので、閉じられた綴杆部の保持力が比較的強く、閉じられた綴杆を、開く方向に撓めて容易に開くことができる。
【０００７】
この発明の上述の目的、その他の目的、特徴及び利点は、図を参照して行う以下の発明を実施するための最良の形態の説明から一層明らかとなろう。
この明細書及び特許請求の範囲において、リーフは、用紙、合成樹脂製ポケット、表紙等の綴具に綴じられる被綴じ物の総称である。
【図面の簡単な説明】
【０００８】
【図１】この発明にかかる綴具を用いたノートの斜視図解図である。
【図２】この発明にかかる綴具の斜視図解図であり、（Ａ）は全体を示す図で、（Ｂ）は拡大した図である。
【図３】この発明にかかる綴具の斜視図解図であり、（Ａ）は全体を示す図で、（Ｂ）は拡大した図である。
【図４】第１綴具部材と第２綴具部材との組み立て方を示す斜視図解図である。
【図５】第１綴具部材の底面図解図である。
【図６】第１綴杆の斜視図解図である。
【図７】綴具を閉じた状態における平面図解図である。
【図８】図７Ａ−Ａ断面図解図である。
【図９】図７Ｂ−Ｂ断面図解図である。
【図１０】開き始めた状態における綴具の平面図解図である。
【図１１】開き始めた状態における側面図解図である。
【図１２】開いた状態における図７Ａ−Ａ図解図である。
【図１３】開いた状態における図７Ｂ−Ｂ図解図である。
【図１４】変形例の側面図解図である。
【図１５】変形例の正面図解図である。
【図１６】この発明にかかる綴具の正面図解図である。
【図１７】この発明にかかる綴具の側面図解図である。
【図１８】この発明にかかる綴具の平面図解図である。
【図１９】図１８図示綴具の底面図解図である。
【図２０】この発明にかかる綴具の平面図解図である。
【図２１】図２０図示綴具の底面図解図である。
【図２２】この発明にかかる綴具の平面図解図である。
【図２３】図２２図示綴具の底面図解図である。
【図２４】この発明にかかる綴具を開いたノートにおける綴具の開き方を示す平面図解図である。
【図２５】この発明にかかる綴具を開いたノートにおける綴具の開き方を示す平面図解図である。
【図２６】この発明にかかる綴具を開いたノートにおける綴具の開き方を示す平面図解図である。
【図２７】この発明にかかる綴具を開いたノートにおける綴具の開き方を示す平面図解図である。
【図２８】この発明にかかる綴具を開いたノートにおける綴具の開き方を示す平面図解図である。
【図２９】この発明にかかる綴具を開いたノートにおける綴具の開き方を示す平面図解図である。
【図３０】ノートのリーフの開き方を示す平面図解図であり、（Ａ）は閉じた状態の図で、（Ｂ）は半分捲った状態の図で、（Ｃ）は３６０度捲った状態の図である。
【図３１】綴具の説明図である。
【図３２】ノートの説明図であり、（Ａ）は全体の図であり、（Ｂ）はリーフの図である。
【発明を実施するための形態】
【０００９】
図１はこの発明にかかる綴具を用いたノートの斜視図解図であり、図２はこの発明にかかる綴具の斜視図解図であり、（Ａ）は全体を示す図で、（Ｂ）は拡大した図であり、図３はこの発明にかかる綴具の斜視図解図であり、（Ａ）は全体を示す図で、（Ｂ）は拡大した図であり、図４は第１綴具部材と第２綴具部材との組み立て方を示す斜視図解図であり、図５は第１綴具部材の底面図解図であり、図６は第１綴杆の斜視図解図であり、図７は綴具を閉じた状態における平面図解図であり、図８は図７Ａ−Ａ断面図解図であり、図９は図７Ｂ−Ｂ断面図解図であり、図１０は開き始めた状態における綴具の平面図解図であり、図１１は開き始めた状態における側面図解図であり、図１２は開いた状態における図７Ａ−Ａ図解図であり、図１３は開いた状態における図７Ｂ−Ｂ図解図である。
この発明の綴具１０は、一対の綴杆部１２と、前記綴杆部１２を構成する複数の綴杆を並列するためのベース部１４と、前記綴杆部１２を構成する複数の綴杆を開閉させるときの中心となるヒンジ部１６とを備える綴具であって、一対の綴杆部１２をそれぞれ逆方向に相対的に移動して綴杆部１２を開閉することができるように構成されている。
この綴具１０は、主として、一般的にセルリング式ノートと称されるノートに類似したノート用として構成され、綴具１０の綴杆部１２に沿ってリーフ１１０を回転させて３６０度広げること、すなわち綴杆部１２に綴じられたリーフ１１０を綴杆に沿って捲り、３６０度捲りかえし、閉じたときに両端にあるリーフ１１０の表側と裏側とがヒンジ部１６を挟んで接し合うことができるように、構成されている。
通常、綴じ穴のある筆記する用紙の表側及び裏側に該用紙よりも比較的硬質の表紙が積層されており、この明細書及び特許請求の範囲においては、リーフ１１０の表側及び裏側には、用紙、合成樹脂製ポケット等の表面側の表表紙の表側と裏面側の裏表紙の裏側とを含まれる。
【００１０】
前記一対の綴杆部１２を構成する複数の綴杆は、半環状の第１綴杆２０及び第２綴杆４０が各々向き合って綴杆部１２を閉じたときに係合するように、前記ベース部１４を構成する一対のベース部１４の各々にその長手方向に適宜な間隔をおいて、ベース部１４の内側部ないし上側部から突設されている。すなわち、前記左右（表側と裏側）に分かれた一対の綴杆部１２は、前記ヒンジ部１６を中心にして左右に分かれた、正面視円弧状の第１綴杆２０及び正面視円弧状の第２綴杆４０を複数備える。
【００１１】
前記ベース部１４は、前記ヒンジ部１６を中心にして左右（表側と裏側）に分かれた、第１ベース部２２及び第２ベース部２４を備える。左側（表側）の第１ベース部２２及び右側（裏側）の第２ベース部２４は、向こう側から手前側に連続して長手方向に直線状にのびる略板状体である。
【００１２】
前記ベース部１４は、綴杆部１２に綴じられたリーフ１１０を第１綴杆２０及び第２綴杆４０に沿って捲り、３６０度捲りかえし、閉じたときに両端にあるリーフ１１０の表側と裏側とがヒンジ部１６を挟んで接し合うことができるように、下部において第１綴杆２０の根元部１２２ａ及び第２綴杆４０の根元部１４２ａと近接した位置にヒンジ部１６を連設されている。
【００１３】
前記ヒンジ部１６は、前記ベース部１４（第１ベース部２２及び第２ベース部２４）の長手方向にのびて一対のベース部１４（第１ベース部２２と第２ベース部２４と）を連結し、前記第１綴杆２０の自由端１２２ｂと第２綴杆４０の自由端１４２ｂとを合わせて閉鎖するとき及び第１綴杆２０の自由端１２２ｂと第２綴杆４０の自由端１４２ｂとを離間させるときに回転中心となり、綴杆部１２に綴じられたリーフ１１０を第１綴杆２０及び第２綴杆４０に沿って捲り、３６０度捲りかえすことができるように構成されている。
【００１４】
前記ヒンジ部１６は、ベース部１４の厚さより薄い薄肉部を備える。
ヒンジ部１６の薄肉部は、第１ベース部２２の長手端縁と第２ベース部２４の長手端縁とを連設されて、第１ベース部２２と第２ベース部２４とを回動自在とするように構成され、前記ヒンジ部１６の薄肉部は、前記ベース部１４の長手方向に沿って、向こう側から手前側に一直線状に連続してのび、第１ベース部２２と第２ベース部２４とを連結する。
ヒンジ部１６は、前記第１綴杆２０の先端（自由端１２２ｂ）及び第２綴杆４０の先端（自由端１４２ｂ）を合わせて閉鎖するとき及び第１綴杆２０の先端（自由端１２２ｂ）及び第２綴杆４０の先端（自由端１４２ｂ）を離間させるときに回転中心となり、第１綴杆２０及び第２綴杆４０の先端を合わせて閉鎖したとき、第１ベース部２２の上面（第１綴杆２０の突出した側の第１ベース部の対向部８２）と第２ベース部２４の上面（第２綴杆４０の突出した側の第２ベース部の対向部９２）とを合わせて、第１綴杆２０及び第２綴杆４０に綴じられたリーフ１１０を第１綴杆２０及び第２綴杆４０に沿って捲り、３６０度捲りかえすことができるように構成されている。
【００１５】
綴杆部１２は、図２，図３，図４及び図６に示すように、第１綴杆２０及び第２綴杆４０のベース部１４に連設された根元部１２２ａ及び根元部１４２ａとは反対側の自由端１２２ｂ及び自由端１４２ｂに、第１綴杆２０及び第２綴杆４０を閉鎖したときに係止するための綴杆係止部を形成されている。すなわち、第１綴杆２０は、根元部１２２ａとは反対側の頂部である自由端１２２ｂに第１綴杆の綴杆係止部１２４を形成され、第２綴杆４０は、根元部１４２ａとは反対側の頂部である自由端１４２ｂに第２綴杆の綴杆係止部１４４を形成されている。
綴杆部１２は、根元部１２２ａ及び根元部１４２ａから頂部に至る高さ方向（垂直方向）と、第１綴杆２０の外周部（外側部）から第２綴杆４０の外周部（外側部）に至る幅方向（水平方向）とを備え、第１綴杆２０及び第２綴杆４０の厚さ（外周部と内周部との間の長さ）よりも、綴具の長さ方向における第１綴杆２０及び第２綴杆４０の幅の方が長い、断面長方形状である。そして、第１綴杆２０及び第２綴杆４０は、根元部１２２ａ及び根元部１４２ａから頂部に至るまで、リーフ１１０を捲ることができるように、リーフ１１０の綴じ穴１１２に貫挿される形状に構成されている。
前記第１綴杆の綴杆係止部１２４及び第２綴杆の綴杆係止部１４４は、係止する第１綴杆２０及び第２綴杆４０の回転方向と交差する方向に、すなわちヒンジ部１６の長手方向（薄肉部ののびる長手方向の中心軸線Ｌ1方向）に第１綴杆２０及び第２綴杆４０を相対移動して、第１綴杆２０及び第２綴杆４０の先端を合わせて閉鎖するときに係止し又は第１綴杆２０及び第２綴杆４０の先端を離間させるときに脱係するように形成されている。
【００１６】
第１綴杆２０は、閉じたときに略円環状の綴杆となるように、半円弧状の半割杆から構成され、第２綴杆４０は、閉じたときに略円環状の綴杆となるように、半円弧状の半割杆から構成され、第１綴杆２０と第２綴杆４０とは対向するように構成されている。
そして、リーフ１１０に予め穿設された綴じ穴１１２に挿通して、リーフ１１０を綴じることができるように、第１綴杆２０と第２綴杆４０との先端、すなわち第１綴杆２０及び第２綴杆４０の頂部において、第１綴杆の綴杆係止部１２４及び第２綴杆の綴杆係止部１４４が形成されている。
第１綴杆２０を構成する半割杆と第２綴杆４０を構成する半割杆とは、自由端１２２ｂの第１綴杆の綴杆係止部１２４と、自由端１４２ｂの第２綴杆の綴杆係止部１４４とを係止することにより、略円環状に連結される。
そして、綴杆部１２を開くときにおいては、第１綴杆２０と第２綴杆４０とは、その第１綴杆の綴杆係止部１２４及び第２綴杆の綴杆係止部１４４をそれぞれ逆方向に指で捩ることにより、係止された第１綴杆の綴杆係止部１２４及び第２綴杆の綴杆係止部１４４を外すことができるように構成されている。
【００１７】
第１綴杆２０の先端に形成された第１綴杆の綴杆係止部１２４を構成する先端の第１綴杆の凸部１２６及びその第１綴杆の凸部１２６に続く第１綴杆の凹部１２８と、第２綴杆４０の第２綴杆の綴杆係止部１４４を構成する先端の第２綴杆の凸部１４６及びその先端の第２綴杆の凸部１４６に続く第２綴杆の凹部１４８とは、第１綴杆２０と第２綴杆４０とを閉じたとき係合するように逆方向に向けて突き出しあるいは凹み形成されている。
すなわち、第１綴杆２０を構成する半割杆の先端に形成された第１綴杆の綴杆係止部１２４を構成する第１綴杆の凸部１２６は、手前側に向けて突き出されている。そして、その第１綴杆の凸部１２６に続く第１綴杆の凹部１２８は、向こう側に向けて凹んでいる。第２綴杆４０を構成する半割杆の先端に形成された第２綴杆の綴杆係止部１４４を構成する第２綴杆の凸部１４６は、向こう側に向けて突き出されている。そして、その先端の第２綴杆の凸部１４６に続く第２綴杆の凹部１４８は、手前側に向けて凹んでいる。
第１綴杆２０と第２綴杆４０とを閉じたとき係合するように、第１綴杆の凸部１２６及び第１綴杆の凹部１２８と第２綴杆の凸部１４６及び第２綴杆の凹部１４８とは、逆方向に向けて突き出しあるいは凹み形成されている。
第１綴杆２０の先端の第１綴杆の綴杆係止部１２４を構成する第１綴杆の凸部１２６と第２綴杆４０の先端の第２綴杆の綴杆係止部１４４を構成する第２綴杆の凸部１４６とは、反対方向に向けて突き出し設けられている。
また、第１綴杆２０の先端の第１綴杆の綴杆係止部１２４を構成する第１綴杆の凹部１２８と第２綴杆４０の先端の第２綴杆の綴杆係止部１４４を構成する第２綴杆の凹部１４８とは、反対方向に向けて凹み形成されている。
第１綴杆の凸部１２６及び第２綴杆の凸部１４６の突き出る方向Ｌ3と第１綴杆の凹部１２８及び第２綴杆の凹部１４８の凹む方向Ｌ2とは、ヒンジ部１６の薄肉部ののびる長手方向の中心軸線Ｌ1と平行である（図４，図５及び図６参照）。
【００１８】
前記第１綴杆の綴杆係止部１２４及び第２綴杆の綴杆係止部１４４は、第１綴杆２０及び第２綴杆４０の回転方向及び回転方向と交差する方向に脱係しないように、第１綴杆２０及び第２綴杆４０の回転方向と交差する方向にのびる脱係防止部１３０及び脱係防止部１５０が形成されている。
脱係防止部１３０は、頂部側において手前側に向けて突き出る鉤鼻状係止凸部１３２と、根元部１２２ａ側において向こう側に向けて凹む係止凹部１３４とを有し、自由端側の係止凸部１３２から続いて根元部１２２ａ側に係止凹部１３４が形成されている。
脱係防止部１５０は、頂部側において向こう側に向けて突き出る鉤鼻状係止凸部１５２と、根元部１４２ａ側において手前側に向けて凹む係止凹部１５４とを有し、自由端側の係止凸部１５２から続いて根元部１４２ａ側に係止凹部１５４が形成されている。
係止凸部１３２及び係止凸部１５２の突き出る方向Ｌ3と係止凹部１３４及び係止凹部１５４の凹む方向Ｌ3とは、ヒンジ部１６の薄肉部ののびる長手方向の中心軸線Ｌ1と平行である（図４，図５及び図６参照）。
【００１９】
第１綴杆２０と第２綴杆４０とを閉じたとき、脱係防止部１３０の係止凸部１３２は脱係防止部１５０の係止凹部１５４に嵌合され、脱係防止部１５０の係止凸部１５２は脱係防止部１３０の係止凹部１３４に嵌合され、係止凸部１３２と係止凸部１５２とは、第１綴杆２０と第２綴杆４０とを回転方向に引いたときに、突き当たる。
第１綴杆の綴杆係止部１２４の脱係防止部１３０は、第２綴杆の綴杆係止部１４４の上部に向けて突き出され、第１綴杆の綴杆係止部１２４と第２綴杆の綴杆係止部１４４とを係合したときに、第２綴杆４０が上方に向けて衝撃などにより移動することを防止している。
第２綴杆の綴杆係止部１４４の脱係防止部１５０は、第１綴杆の綴杆係止部１２４の上部に向けて突き出され、第１綴杆の綴杆係止部１２４と第２綴杆の綴杆係止部１４４とを係合したときに、第１綴杆２０が上方に向けて衝撃などにより移動することを防止している。
このように、この実施の形態においては、第１綴杆２０及び第２綴杆４０の頂部を指でねじることにより、第１綴具部材１２０の第１綴杆２０を向こう側に移動させ且つ第２綴具部材１４０の第２綴杆４０を手前側に移動させて、第１綴杆２０の半割杆の第１綴杆の綴杆係止部１２４と第２綴杆４０の半割杆の第２綴杆の綴杆係止部１４４との係合を外すことができる。
なお、閉じるときにおいては、脱係防止部１３０の係止凸部１３２と脱係防止部１５０の係止凸部１５２とは、突き出たり滑りながら係止凹部１５４及び係止凹部１３４に嵌まるように、なだらかな傾斜面が自由端から形成されている。
【００２０】
一対の綴杆部１２のうち少なくとも一方の第２綴杆４０は、複数の綴杆を開かせるために、第２綴杆４０を並列された方向であるベース部１４の長手方向において、綴杆を部分的に変移させて手前側から向こう側又は向こう側から手前側に第２綴杆４０の頂部である自由端１４２ｂを傾斜させる、傾斜移動手段１８を有している。而して、前記一対の綴杆部１２は、傾斜移動手段１８によって傾斜した複数の第２綴杆４０と対向する複数の第１綴杆２０との間が離間し、且つ、ヒンジ部１６を中心にして開閉される。
この実施の形態においては、更に、複数の綴杆を開かせるために、第１綴杆２０を並列された方向であるベース部１４の長手方向において、綴杆を部分的に変移させて手前側から向こう側又は向こう側から手前側に第１綴杆２０の頂部である自由端１２２ｂを傾斜させる、傾斜移動手段１８を有している。
【００２１】
前記傾斜移動手段１８は、第１綴杆２０の根元部１２２ａもしくは根元部１２２ａの近傍において、第１綴杆２０を傾ける側（及び／又は第１綴杆２０を傾ける側とは反対側）に形成された凹部を含む第１凹部４２によって形成される。
前記傾斜移動手段１８は、第２綴杆４０の根元部１４２ａもしくは根元部１４２ａの近傍において、第２綴杆４０を傾ける側（及び／又は第２綴杆４０を傾ける側とは反対側）に形成された凹部を含む第２凹部４４によって形成される。
【００２２】
綴杆部１２は、柔軟な合成樹脂で成形されて、全体的に柔軟性を有している。
第１凹部４２及び第２凹部４４は、外周部（外側部）から内周部（内側部）に向けて、略々半分程の深さにて切り欠かれることにより形成されている。
そして、第１綴杆２０に形成された第１凹部４２は、向こう側端縁から手前側端縁に向けて切り欠かれた側面視円弧状ないしＵ字状の凹陥部で構成されている。そして、第１綴杆２０に形成された第１凹部４２の底部と第１綴杆２０の手前側端縁との間に狭小部分である第１狭小部６０が形成され、第１凹部４２の底部とは反対側に第１開口部分５０を形成されている。
第２綴杆４０に形成された第２凹部４４は、手前側端縁から向こう側端縁に向けて切り欠かれた側面視円弧状ないしＵ字状の凹陥部で構成されている。そして、第２綴杆４０に形成された第２凹部４４の底部と第２綴杆４０の向こう側端縁との間に狭小部分である第２狭小部６２が形成され、第２凹部４４の底部とは反対側に第２開口部分５２を形成されている。
而して、綴杆部１２を開くときに、第１綴杆２０に形成された第１凹部４２の底部と第１綴杆２０の手前側端縁との間の狭小部分である第１狭小部６０が、第１凹部４２の底部とは反対側である向こう側端縁の第１開口部分５０の幅を縮めるように、撓む。また、綴杆部１２を開くときに、第１綴杆２０に形成された第１凹部４２と内周部（内側部）との間の薄肉部分である第１薄肉部６４が、外周部（外側部）の第３開口部分５４の幅を縮めるように曲がる。
そして、綴杆部１２を開くときに、第２綴杆４０に形成された第２凹部４４の底部と第２綴杆４０の向こう側端縁との間の狭小部分である第２狭小部６２が、第２凹部４４の底部とは反対側である手前側端縁の第２開口部分５２の幅を縮めるように、撓む。また、綴杆部１２を開くときに、第２綴杆４０に形成された第２凹部４４と内周部（内側部）との間の薄肉部分である第２薄肉部６６が、外周部（外側部）の第４開口部分５６の幅を縮めるように曲がる。
【００２３】
第１綴杆２０に形成された第１凹部４２の曲線の弧の両端を結ぶ線４２Ｌ1、すなわち弦の中点と該第１凹部４２の曲線の頂部すなわち第１凹部４２の底部とを結ぶ垂線４２Ｌ2は、綴杆部１２を開くときに第１綴杆２０を傾斜させる方向と略々平行である。
第２綴杆４０に形成された第２凹部４４の曲線の弧の両端を結ぶ線４４Ｌ1、すなわち弦の中点と該第２凹部４４の曲線の頂部すなわち第２凹部４４の底部とを結ぶ垂線４４Ｌ2は、綴杆部１２を開くときに第２綴杆４０を傾斜させる方向と略々平行である。
【００２４】
前記ベース部１４を構成する第１綴具部材１２０の第１ベース部２２は、綴杆部１２を閉じたときに第１ベース部２２と第２ベース部２４とが向き合う領域である第１ベース部の対向部８２と、前記第１ベース部の対向部８２と相対し第１綴杆２０が突設された第１ベース部の外側部８４と、前記第１ベース部の対向部８２と第１ベース部の外側部８４との間において前記第１ベース部の対向部８２及び第１ベース部の外側部８４に交差する面であって、ヒンジ部１６が連設された第１ベース部の下側部８６と、前記第１ベース部の対向部８２と第１ベース部の外側部８４との間において前記第１ベース部の対向部８２及び第１ベース部の外側部８４に交差する面であって、第１綴杆２０が突き出された側である第１ベース部の上側部８８とを備える。
前記ベース部１４を構成する第２綴具部材１４０の第２ベース部２４は、第１ベース部２２と第２ベース部２４とが向き合う領域である第２ベース部の対向部９２と、前記第２ベース部の対向部９２と相対し第２綴杆４０が突設された第２ベース部の外側部９４と、前記第２ベース部の対向部９２と第２ベース部の外側部９４との間において前記第２ベース部の対向部９２及び第２ベース部の外側部９４に交差する面であって、ヒンジ部１６が連設された第２ベース部の下側部９６と、前記第２ベース部の対向部９２と第２ベース部の外側部９４との間において前記第２ベース部の対向部９２及び第２ベース部の外側部９４に交差する面であって、第２綴杆４０が突き出された側である第２ベース部の上側部９８とを備える。
この実施の形態においては、第１ベース部２２及び第２ベース部２４は、略四角柱状である。
そして、第１ベース部の対向部８２と第２ベース部の対向部９２とは、回転方向と直交し、綴具１０を閉じたときに垂直にすなわち高さ方向にのびる平面であって、図７及び図８に示すように綴具１０を閉じたときに密着するように形成されている。
この実施の形態においては、第１綴杆２０及び第１ベース部２２を有する第１綴具部材１２０と、第２綴杆４０及び第２ベース部２４を有する第２綴具部材１４０とは、ヒンジ部１６と共に柔軟性を有する合成樹脂で一体成形されている。
【００２５】
ヒンジ部１６の薄肉部ののびる長手方向の中心軸線Ｌ1は、綴杆部１２の開閉する方向すなわち第１綴杆２０と第２綴杆４０との回転方向と直交する。
綴杆部１２を閉じたとき係合する第１綴杆の凸部１２６と第２綴杆の凹部１４８とが綴杆部１２を開くとき外れる方向及び綴杆部１２を閉じたとき係合する第２綴杆の凸部１４６と第１綴杆の凹部１２８とが綴杆部１２を開くとき外れる方向と、前記中心軸線Ｌ1とは平行である。
綴杆部１２を閉じたとき係合する第１綴杆２０の脱係防止部１３０の係止凸部１３２と第２綴杆４０の脱係防止部１５０の係止凹部１５４とが綴杆部１２を開くとき外れる方向及び綴杆部１２を閉じたとき係合する第１綴杆２０の脱係防止部１３０の係止凹部１３４と第２綴杆４０の脱係防止部１５０の係止凸部１５２とが綴杆部１２を開くとき外れる方向と、前記中心軸線Ｌ1とは平行である。
而して、第１綴杆２０と第２綴杆４０とが外れる方向は、ヒンジ部１６の薄肉部ののびる方向と平行である。
【００２６】
この発明にかかる綴具１０の綴杆部１２を閉じるときには、第１綴杆２０と第２綴杆４０とを指で摘んで、第１綴杆２０と第２綴杆４０とを引き寄せれば、第１綴杆２０及び第２綴杆４０を構成する複数の綴杆が、共に、第１綴杆の綴杆係止部１２４及び第２綴杆の綴杆係止部１４４で係止されて、環状の綴杆部１２を形成する。
この発明にかかる綴具１０の綴杆部１２を開くときには、第１綴杆２０と第２綴杆４０とをそれぞれ逆方向に指で捩ることにより、第１綴杆２０の頂部と第２綴杆４０の頂部とを反対方向に移動させて、第１綴杆２０及び第２綴杆４０を構成する複数の綴杆が、共に、係止されていた第１綴杆の綴杆係止部１２４と第２綴杆の綴杆係止部１４４とが脱係して、綴杆部１２を開く。
【００２７】
図１４及び図１５は、図１図示綴具１０の変形例である綴具１０の傾斜移動部２１８を示す図解図である。
図１４図示綴具１０の第１綴杆２０は、根元部１２２ａが、手前側端縁側と向こう側端縁側との間において、外周部（外側部）と内周部（内側部）との間の厚さを異ならせて構成された傾斜移動部２１８を備えている。
傾斜移動部２１８は、第１綴杆２０の根元部１２２ａを、向こう側端縁が薄くなるように、側面視倒れＬ字型に切り欠かれた凹部を含む第１凹部２４２によって形成される。第１綴杆２０は、根元部１２２ａを、手前側端縁が自由端１２２ｂと略々同じ厚さを維持するように切り欠かれていない。切り欠かれている領域は、第１ベース部の下側部８６の近傍から、第１綴杆２０の上方に立ち上がり始めた部位までである。切り欠かれた領域は、根元部１２２ａから上方に向けて垂直方向に連続して切り欠かれ、切り欠かれていない領域との境界は、隔壁２４２ａを形成されている。また、第１凹部２４２の上端は、水平方向に切り欠かれた隔壁２４２ｂを形成されている。切り欠かれていない領域は、手前側端縁と向こう側端縁との間の長さの３分の１程度である。
図１４図示綴具１０の第２綴杆４０は、根元部１４２ａが、手前側端縁側と向こう側端縁側との間において、外周部（外側部）と内周部（内側部）との間の厚さを異ならせて構成された傾斜移動部２１８を備えている。
傾斜移動部２１８は、根元部１４２ａを、手前側端縁が薄くなるように、側面視倒れＬ字型に切り欠かれた凹部を含む第２凹部２４４によって形成される。第２綴杆４０は、根元部１４２ａを、向こう側端縁が自由端１４２ｂと略々同じ厚さを維持するように切り欠かれていない。切り欠かれている領域は、第２ベース部の下側部９６の近傍から、第２綴杆４０が上方に立ち上がり始めた部位までである。切り欠かれた領域は、根元部１４２ａから上方に向けて垂直方向に連続して切り欠かれ、切り欠かれていない領域との境界は、隔壁２４４ａを形成されている。また、第２凹部２４４の上端は、水平方向に切り欠かれた隔壁２４４ｂを形成されている。切り欠かれていない領域は、手前側端縁と向こう側端縁との間の長さの３分の１程度である。
【００２８】
前記傾斜移動手段１８を構成する第１凹部４２及び第２凹部４４並びに傾斜移動部２１８を構成する第１凹部２４２及び第２凹部２４４は、複数の綴杆を開かせるために、第１綴杆２０の頂部である自由端１２２ｂ及び第２綴杆４０の頂部である自由端１４２ｂを傾斜させる側から内側に向けて切り欠かれている。
本件発明にかかる綴具１０の傾斜移動手段１８及び傾斜移動部２１８は、この例に限らず、複数の綴杆を開かせるために、第１綴杆２０の頂部である自由端１２２ｂ及び第２綴杆４０の頂部である自由端１４２ｂを傾斜させる側とは反対側の端縁から、内側に向けて切り欠かれてもよい。
【００２９】
次に、この発明にかかる綴具１０の用い方について、説明する。
綴具１０は、第１綴杆２０及び第２綴杆４０に、リーフ１１０の高さ方向に適宜な間隔をあけて連続して設けられた綴じ穴１１２を貫挿し、リーフ１１０の高さ方向にのびる綴じ代側端縁１１４の側にヒンジ部１６を位置させ、綴じ穴１１２と綴じ代側端縁１１４との間に第１綴杆２０及び第２綴杆４０が架け渡されるようにして、リーフ１１０を綴じ、ノートを形成する。
綴具１０は、綴具１０の長さ方向が、幅方向にのびる端縁に綴じ穴１１２を形成したリーフ１１０の幅方向にのびるように、リーフ１１０を綴じて、ノートを形成してもよい。
【００３０】
綴具１０に綴じられたリーフ１１０は、図３０において示すように、ヒンジ部１６側に向けて捲りかえされ、閉じられて積層されていたときのリーフの表側１１０ａとリーフの裏側１１０ｂとをヒンジ部１６を挟んで接し合わせるようにして、筆記等に用いることができる。
【００３１】
リーフ１１０は、次の図２４及び図２５に示すリーフのように構成してもよい。
図２４及び図２５図示リーフ１１０は、表表紙１１６Ａと、裏表紙１１６Ｂと、それらとの間に挟まれた筆記用の用箋１１６Ｃとを備えている。表表紙１１６Ａ，裏表紙１１６Ｂ及び用箋１１６Ｃは、綴じ代側端縁に、貫通孔からなる綴じ穴１１２が形成されている。
【００３２】
表表紙１１６Ａは、第１綴杆の綴杆係止部１２４を脱係する方向すなわち綴具１０の長さ方向における向こう側（上方）に向けて、移動させる変位体を構成しており、その向こう側端縁（上端縁）の綴具１０側近傍に第１摘み部１１６Ａ1が突設されている。
第１摘み部１１６Ａ1は、表表紙１１６Ａの綴具１０側隅部の向こう側端縁（上端）より、表表紙１１６Ａを第１綴杆の綴杆係止部１２４を脱係する方向である向こう側（上方）に向けて、指で挟んで引っ張ることができる面積を備えた平面視半円形突片である。
第１摘み部１１６Ａ1は、表表紙１１６Ａと一体に形成されている。第１摘み部１１６Ａ1は、表表紙１１６Ａの上端と平行に形成された直線状折曲部１１６Ａ2において内側に向けて折り曲げることができるように構成され、表表紙１１６Ａの上端縁より突出することがないように構成されている。
裏表紙１１６Ｂは、第２綴杆の綴杆係止部１４４を脱係する方向すなわち綴具１０の長さ方向における手前側（下方）に向けて、移動させる変位体を構成しており、その手前側端縁（下端縁）の綴具１０側近傍に第２摘み部１１６Ｂ1が突設されている。
第２摘み部１１６Ｂ1は、裏表紙１１６Ｂの綴具１０側隅部の手前側端縁（下端）より、裏表紙１１６Ｂを第２綴杆の綴杆係止部１４４を脱係する方向である手前側（下方）に向けて、指で挟んで引っ張ることができる面積を備えた平面視半円形突片である。
第２摘み部１１６Ｂ1は、裏表紙１１６Ｂと一体に形成されている。第２摘み部１１６Ｂ1は、裏表紙１１６Ｂの下端と平行に形成された直線状折曲部１１６Ｂ2において内側に向けて折り曲げることができるように構成され、裏表紙１１６Ｂの下端縁より突出することがないように構成されている。
【００３３】
用箋１１６Ｃは、表表紙１１６Ａ及び裏表紙１１６Ｂより、リーフ１１０の高さ方向における長さがわずかに短く形成されており、第１摘み部１１６Ａ1は、用箋１１６Ｃの上端縁より向こう側（上方）に向けて突き出ている。また、同様に第２摘み部１１６Ｂ1は、用箋１１６Ｃの下端縁より手前側（下方）に向けて突き出ている。
第１綴杆２０と第２綴杆４０とを開くときにおいては、例えば、左手の人差し指と親指とによって第１摘み部１１６Ａ1を摘み向こう側（上側）に引っ張り、同時に、右手の人差し指と親指とによって、第２摘み部１１６Ｂ1を摘み手前側（下側）に引っ張り、第１綴杆の綴杆係止部１２４と第２綴杆の綴杆係止部１４４との係合を外し、且つ、第１摘み部１１６Ａ1を幅方向に回転させて開くとともに、第２摘み部１１６Ｂ1を幅方向に回転させて開く。このとき、第１摘み部１１６Ａ1は、第１綴杆２０の開く側である表側に引っ張って第１綴杆２０を回転させ、第２摘み部１１６Ｂ1は、第２綴杆４０の開く側である裏側に引っ張って第２綴杆４０を回転させる。
【００３４】
リーフ１１０は、次の図２６及び図２７に示すリーフ１１１０のように構成してもよい。
図２６及び図２７図示リーフ１１１０は、表表紙１１１６Ａと、裏表紙１１１６Ｂと、それらとの間に挟まれた筆記用の用箋１１１６Ｃとを備えている。表表紙１１１６Ａ，裏表紙１１１６Ｂ及び用箋１１１６Ｃは、綴じ代側端縁に貫通孔からなる綴じ穴１１１２が形成されている。
【００３５】
表表紙１１１６Ａは、第１綴杆の綴杆係止部１２４を脱係する方向すなわち綴具１０の長さ方向における向こう側（上方）に向けて、移動させる変位体を構成しており、その向こう側端縁（上端縁）の綴具１０側近傍に第１摘み部１１１６Ａ1が形成されている。
第１摘み部１１１６Ａ1は、表表紙１１１６Ａの綴具１０側隅部の向こう側端縁（上端）より、表表紙１１１６Ａを第１綴杆の綴杆係止部１２４を脱係する方向である向こう側（上方）に向けて、指で挟んで引っ張ることができる面積を備えた平面視略方形状部分である。
第１摘み部１１１６Ａ1は、表表紙１１１６Ａと一体に形成されている。
裏表紙１１１６Ｂは、第２綴杆の綴杆係止部１４４を脱係する方向すなわち綴具１０の長さ方向における手前側（下方）に向けて、移動させる変位体を構成しており、その手前側端縁（下端縁）の綴具１０側近傍に第２摘み部１１１６Ｂ1が突設されている。
第２摘み部１１１６Ｂ1は、裏表紙１１１６Ｂの綴具１０側隅部の手前側端縁（下端）より、裏表紙１１１６Ｂを第２綴杆の綴杆係止部１４４を脱係する方向である手前側（下方）に向けて、指で挟んで引っ張ることができる面積を備えた平面視略方形状部分である。
第２摘み部１１１６Ｂ1は、裏表紙１１１６Ｂと一体に形成されている。
【００３６】
用箋１１１６Ｃは、表表紙１１１６Ａ及び裏表紙１１１６Ｂより、リーフ１１１０の高さ方向における長さがわずかに短く形成されている。
【００３７】
用箋１１１６Ｃは、第１摘み部１１１６Ａ1の領域を指で挟んで摘むために、ベース部１４の長さ方向における向こう側端縁（上端縁）で綴具１０に綴じられる綴じ穴１１１２の近傍に、用箋の一部を切り欠かれてなる第１切欠部１１１６Ｃ1を形成されている。
すなわち、表表紙１１１６Ａの第１摘み部１１１６Ａ1と用箋１１１６Ｃの第１切欠部１１１６Ｃ1とが協働して、変位体を構成し、裏表紙１１１６Ｂの第２摘み部１１１６Ｂ1と用箋１１１６Ｃの第２切欠部１１１６Ｃ2とが協働して、変位体を構成している。
【００３８】
用箋１１１６Ｃは、第２摘み部１１１６Ｂ1の領域を指で挟んで摘むために、ベース部１４の長さ方向における手前側端縁（下端縁）で綴具１０に綴じられる綴じ穴１１１２の近傍に、用箋の一部を切り欠かれてなる第２切欠部１１１６Ｃ2を形成されている。
すなわち、表表紙１１１６Ａの第１摘み部１１１６Ａ1と用箋１１１６Ｃの第１切欠部１１１６Ｃ1とが協働して、変位体を構成し、裏表紙１１１６Ｂの第２摘み部１１１６Ｂ1と用箋１１１６Ｃの第２切欠部１１１６Ｃ2とが協働して、変位体を構成している。
【００３９】
第１綴杆２０と第２綴杆４０を開くときにおいては、例えば、左手の人差し指と親指によって、第１摘み部１１１６Ａ1を摘み向こう側（上側）に引っ張り、同時に右手の人差し指と親指とによって第２摘み部１１１６Ｂ1を摘み手前側（下側）に引っ張り、第１綴杆の綴杆係止部１２４と第２綴杆の綴杆係止部１４４との係合を外し、且つ、第１摘み部１１１６Ａ1を幅方向に回転させて開くとともに第２摘み部１１１６Ｂ1を幅方向に回転させて開く。このとき、第１摘み部１１１６Ａ1は、第１綴杆２０の開く側である表側に引っ張って第１綴杆２０を回転させ、第２摘み部１１１６Ｂ1は、第２綴杆４０の開く側である裏側に引っ張って第２綴杆４０を回転させる。
【００４０】
リーフ１１０は、次の図２８及び図２９に示すリーフのように構成してもよい。
表表紙１１１６Ａは、第１綴杆２０の第１綴杆の綴杆係止部１２４を脱係する方向すなわち綴具１０の長さ方向における向こう側（上方）に向けて、移動させる変位体を構成している、平面視略長方形状の第１変位板体３１１６Ａが添設されている。そして、第１変位板体３１１６Ａは、その向こう側端縁（上端縁）の綴具１０側近傍に第１摘み部３１１６Ａ1が形成されている。
第１摘み部３１１６Ａ1は、表表紙１１１６Ａの綴具１０側隅部の向こう側端縁（上端）より、表表紙１１１６Ａを第１綴杆２０の第１綴杆の綴杆係止部１２４を脱係する方向である向こう側（上方）に向けて、指で挟んで引っ張ることができる面積を備えた平面視略方形状部分である。
第１摘み部３１１６Ａ1は、表表紙１１１６Ａと一体に形成されている。
裏表紙１１１６Ｂは、第２綴杆の綴杆係止部１４４を脱係する方向すなわち綴具１０の長さ方向における手前側（下方）に向けて、移動させる変位体を構成している、平面視平面視略長方形状の第２変位板体３１１６Ｂが添設されている。そして、第２変位板体３１１６Ｂは、その手前側端縁（下端縁）の綴具１０側近傍に第２摘み部３１１６Ｂ1が突設されている。
第２摘み部３１１６Ｂ1は、裏表紙１１１６Ｂの綴具１０側隅部の手前側端縁（下端）より、裏表紙１１１６Ｂを第２綴杆の綴杆係止部１４４を脱係する方向である手前側（下方）に向けて、指で挟んで引っ張ることができる面積を備えた平面視略方形状部分である。
第２摘み部３１１６Ｂ1は、裏表紙１１１６Ｂと一体に形成されている。
【００４１】
用箋１１１６Ｃは、表表紙１１１６Ａ及び裏表紙１１１６Ｂより、リーフ１１１０の高さ方向における長さがわずかに短く形成されている。
【００４２】
第１変位板体３１１６Ａは、その綴じ代側端縁に穿設された綴じ穴３１１２Ａに第１綴杆２０を貫挿することにより表表紙１１１６Ａの表面側に添設され、第２変位板体３１１６Ｂは、その綴じ代側端縁に穿設された綴じ穴３１１２Ｂに第２綴杆４０を貫挿することにより裏表紙１１１６Ｂの裏側に添設されている。
表表紙１１１６Ａ、裏表紙１１１６Ｂ及び用箋１１１６Ｃは、第１摘み部３１１６Ａ1の領域を指で挟んで摘むために、ベース部１４の長さ方向における向こう側端縁（上端縁）で綴具１０に綴じられる綴じ穴１１１２の近傍に、用箋の一部を切り欠かれてなる第１切欠部１１１６Ｃ1を形成されている。
すなわち、表表紙１１１６Ａ、裏表紙１１１６Ｂ及び用箋１１１６Ｃの第１切欠部１１１６Ｃ1と第２変位板体３１１６Ｂとが協働して、変位体を構成し、表表紙１１１６Ａ、裏表紙１１１６Ｂ及び用箋１１１６Ｃの第２切欠部１１１６Ｃ2とが協働して、変位体を構成している。
第１綴杆２０と第２綴杆４０とを開くときおいては、例えば、左手の人差し指と親指とによって第１変位板体３１１６Ａを摘み向こう側（上側）に引っ張り、同時に、右手の人差し指と親指とによって、第２変位板体３１１６Ｂを摘み手前側（下側）に引っ張り、第１綴杆の綴杆係止部１２４と第２綴杆の綴杆係止部１４４との係合を外し、且つ、第１変位板体３１１６Ａを幅方向に回転させて開くとともに、第２変位板体３１１６Ｂを幅方向に回転させて開く。このとき、第１変位板体３１１６Ａは、第１綴杆２０の開く側である表側に引っ張って第１綴杆２０を回転させ、第２変位板体３１１６Ｂは、第２綴杆４０の開く側である裏側に引っ張って第２綴杆４０を回転させる。
【００４３】
表表紙１１１６Ａ、裏表紙１１１６Ｂ及び用箋１１１６Ｃは、第２摘み部３１１６Ｂ1の領域を指で挟んで摘むために、ベース部１４の長さ方向における手前側端縁（下端縁）で綴具１０に綴じられる綴じ穴１１１２の近傍に、用箋の一部を切り欠かれてなる第２切欠部１１１６Ｃ2を形成されている。
すなわち、第１変位板体３１１６Ａの第１摘み部３１１６Ａ1と用箋１１１６Ｃの第１切欠部１１１６Ｃ1とが協働して、変位体を構成し、第２変位板体３１１６Ｂの第２摘み部３１１６Ｂ1と用箋１１１６Ｃの第２切欠部１１１６Ｃ2とが協働して、変位体を構成している。
【００４４】
第１綴杆２０と第２綴杆４０を開くときにおいては、例えば、左手の人差し指と親指によって、第１摘み部３１１６Ａ1を摘み向こう側（上側）に引っ張り、同時に右手の人差し指と親指とによって第２摘み部３１１６Ｂ1を摘み手前側（下側）に引っ張り、第１綴杆の綴杆係止部１２４と第２綴杆の綴杆係止部１４４との係合を外し、且つ、第１摘み部３１１６Ａ1を幅方向に回転させて開くとともに第２摘み部３１１６Ｂ1を幅方向に回転させて開く。このとき、第１摘み部３１１６Ａ1は、第１綴杆２０の開く側である表側に引っ張って第１綴杆２０を回転させ、第２摘み部３１１６Ｂ1は、第２綴杆４０の開く側である裏側に引っ張って第２綴杆４０を回転させる。
【００４５】
この発明の実施の形態によれば、ベース部１４は、向き合う第１ベース部の対向部８２及び第２ベース部の対向部９２と、前記第１ベース部の対向部８２及び第２ベース部の対向部９２と相対し第１綴杆２０及び第２綴杆４０が突設された第１ベース部の外側部８４及び第２ベース部の外側部９４と、前記第１ベース部の対向部８２及び第２ベース部の対向部９２と第１ベース部の外側部８４及び第２ベース部の外側部９４との間において前記第１ベース部の対向部８２，第２ベース部の対向部９２及び第１ベース部の外側部８４，第２ベース部の外側部９４に交差する面で、ヒンジ部１６が連設された第１ベース部の下側部８６及び第２ベース部の下側部９６を備えているので、第１ベース部の対向部８２と第２ベース部の対向部９２とは、回転方向と直交し綴具１０を閉じたときに垂直にすなわち高さ方向にのびる平面であって、綴具１０を閉じたときに密着するように形成すれば、綴具１０を閉じたときに第１綴杆の綴杆係止部１２４と第２綴杆の綴杆係止部１４４との係合状態を安定的に保つことができ、綴杆部１２を構成する第１綴杆２０と第２綴杆４０とにより構成される円環状の径を縮むように作用することを少なくすることができる。
この発明の実施の形態によれば、第１綴杆２０及び第２綴杆４０は、前記ベース部１４の長手方向に間欠的に形成され、綴杆部１２が前記ヒンジ部１６を中心にして回転し且つ綴杆部１２を開閉するときに長手方向に相対変移するように形成されているので、複数の第１綴杆２０及び第２綴杆４０で構成される綴杆部１２を一度に開閉させることができる。
この発明の実施の形態によれば、第１綴杆の綴杆係止部１２４，第２綴杆の綴杆係止部１４４は、第１綴杆２０及び第２綴杆４０の回転方向において係止及び脱係するように、第１綴杆２０の第１綴杆の凸部１２６及び第１綴杆の凹部１２８と第２綴杆４０の第２綴杆の凹部１４８及び第２綴杆の凸部１４６とが係合するように構成され、且つ、綴杆部１２を閉じたとき、第１綴杆２０及び第２綴杆４０の回転方向及び回転方向と交差する方向に脱係しないように第１綴杆２０及び第２綴杆４０の回転方向と交差する方向にのびる脱係防止部１３０，１５０が形成されているので、第１綴杆２０及び第２綴杆４０の回転方向及び回転方向と交差する方向に、閉じられた綴杆の第１綴杆の綴杆係止部１２４，第２綴杆の綴杆係止部１４４が脱係しにくい。
【００４６】
この発明の綴具１０は、その綴杆部１２に、リーフ１１０の綴じ穴１１２を貫挿させて綴じられた、ノートを構成でき、又、表表紙と裏表紙と背表紙とを備えた表紙に固定して、ファイル・バインダ類を構成できる。
【００４７】
この発明は、前記実施の形態に限らず、この発明の思想に基づき種々変更することができる。
【００４８】
綴具１０は、図１６ないし図１７に示すように、次のように構成してもよい。
図１６図示綴具１０の傾斜移動手段３１８を構成する第１傾斜部７０は、第１綴杆２０の根元部１２２ａもしくは根元部１２２ａの近傍を、ベース部１４の厚さ及び／又は第１綴杆２０の自由端１２２ｂもしくは自由端１２２ｂの近傍の厚さより薄くした、薄肉板状部を含む。
図１６図示綴具１０の傾斜移動手段３１８を構成する第２傾斜部７２は、第２綴杆４０の根元部１４２ａもしくは根元部１４２ａの近傍を、ベース部１４の厚さ及び／又は第２綴杆４０の自由端１４２ｂもしくは自由端１４２ｂの近傍の厚さより薄くした、薄肉板状部を含む。
【００４９】
第１綴杆２０に形成された第１傾斜部７０は、第１綴杆２０の根元部１２２ａを薄板化して形成されている。
第１綴杆２０の根元部１２２ａは、自由端１２２ｂより薄く、且つ第１ベース部の外側部８４の厚さよりも薄く形成されている。すなわち、第１綴杆２０の外周部（外側部）と内周部（内側部）との間の厚さは、自由端１２２ｂより薄く、且つ第１ベース部の外側部８４の厚さよりも薄く形成されている。
第２綴杆４０に形成された第２傾斜部７２は、第２綴杆４０の根元部１４２ａを薄板化して形成されている。
第２綴杆４０の根元部１４２ａは、自由端１４２ｂより薄く、且つ第２ベース部の外側部９４の厚さよりも薄く形成されている。すなわち、第２綴杆４０の外周部（外側部）と内周部（内側部）との間の厚さは、自由端１４２ｂより薄く、且つ第２ベース部の外側部９４の厚さよりも薄く形成されている。
第１綴杆２０の根元部１２２ａの内側面と第１ベース部の上側部８８とは同一の高さ位置に形成され、平面状に連続している。
第２綴杆４０の根元部１４２ａの内側面と第２ベース部の上側部９８とは同一の高さ位置に形成され、平面状に連続している。
【００５０】
この発明にかかる綴具１０の綴杆部１２を閉じるときには、第１綴杆２０と第２綴杆４０とを指で摘んで、第１綴杆２０と第２綴杆４０とを引き寄せれば、第１綴杆２０及び第２綴杆４０を構成する複数の綴杆が、共に、第１綴杆の綴杆係止部１２４及び第２綴杆の綴杆係止部１４４で係止されて、環状の綴杆部１２を形成する。
この発明にかかる綴具１０の綴杆部１２を開くときには、第１綴杆２０と第２綴杆４０とをそれぞれ逆方向に指で捩ることにより、第１綴杆２０の頂部と第２綴杆４０の頂部とを反対方向に移動させて、第１綴杆２０及び第２綴杆４０を構成する複数の綴杆が、共に、係止されていた第１綴杆の綴杆係止部１２４と第２綴杆の綴杆係止部１４４とが脱係して、綴杆部１２を開く。
特に、綴杆部１２を開くとき、第１綴杆２０及び第２綴杆４０の頂部を逆方向に捩ると、第１傾斜部７０及び第２傾斜部７２が捩られた方向に向けて撓むので、比較的小さな力で綴杆部１２を開くことができる。
【００５１】
綴具１０は、更に別の綴具を示す図１８及び図１９のように、次のように構成してもよい。
図１８図示綴具１０は、一対の綴杆部１２のうち一方の第１綴杆２０の自由端１２２ｂと他方の第２綴杆４０の自由端１４２ｂとを、原点位置（基準位置）より各綴杆の開く方向とは反対側にずらせている。
ここに原点位置（基準位置）とは、第１綴杆２０ののびる方向の中心軸線４２Ｌ3と第２綴杆４０ののびる方向の中心軸線４４Ｌ3とが、ヒンジ部１６の薄肉部ののびる長手方向の中心軸線Ｌ1と平行で一直線状に並ぶ構成をいう（図５参照）。
ヒンジ部１６に直交する垂線Ｌ5に、第１綴杆２０の根元部１２２ａの中点と第２綴杆４０の根元部１４２ａの中点を位置させて並列された第１綴杆２０の根元部１２２ａと第２綴杆４０の根元部１４２ａとを、第１綴杆２０の根元部１２２ａの中点と第２綴杆４０の根元部１４２ａの中点の間の原点Ｏ1を中心に第１綴杆２０の根元部１２２ａと第２綴杆４０の根元部１４２ａを開く方向とは反対側に向けて原点位置より３〜７°回転させて、各綴杆の開く方向とは反対側に第１綴杆２０と第２綴杆４０とをずらせて、綴杆部１２を構成している。
前記一方の第１綴杆２０の頂部である自由端１２２ｂと他方の第２綴杆４０の頂部である自由端１４２ｂとは、各々綴杆の開く方向とは反対側に向けて傾斜されている。
【００５２】
第１綴杆２０ののびる方向（中心軸線４２Ｌ5）は、ヒンジ部１６ののびる方向（ヒンジ部１６の薄肉部ののびる長手方向の中心軸線Ｌ1）に垂直に交わる垂線（Ｌ5）とのなす角度を３〜７°とし、第１綴杆２０の開く方向とは反対側（手前側）に第１綴杆２０の自由端１２２ｂを原点位置の前記垂線（Ｌ5）よりずらせている。
第１綴杆２０と第２綴杆４０とは、ヒンジ部１６ののびる方向（ヒンジ部１６の薄肉部ののびる長手方向の中心軸線Ｌ1）とヒンジ部１６ののびる方向に直交する垂線（Ｌ5）との交点（原点）のまわりに、逆向きに原点位置より３〜７°回転している。
第２綴杆４０ののびる方向は、ヒンジ部１６ののびる方向（ヒンジ部１６の薄肉部ののびる長手方向の中心軸線Ｌ1）に垂直に交わる垂線（Ｌ5）とのなす角度を３〜７°とし、第２綴杆４０の開く方向とは反対側（向こう側）に第２綴杆４０の自由端１４２ｂを原点位置の前記垂線（Ｌ5）よりずらせている。
而して、第１綴杆２０及び第２綴杆４０は、第１綴杆の綴杆係止部１２４及び第２綴杆の綴杆係止部１４４において堅固に係止される。しかし、綴杆部１２を開くときは、第１凹部４２及び第２凹部４４によって、第１綴杆２０は、綴杆部１２を開くときの開く方向である手前側にわん曲させ易く、且つ第２綴杆４０は、綴杆部１２を開くときの開く方向である向こう側にわん曲させ易い。
【００５３】
図２０及び図２１は、更に別の綴具１０を示す図解図である。
図２０図示綴具１０は、一対の綴杆部１２のうち一方の第１綴杆２０の根元部１２２ａと他方の第２綴杆４０の根元部１４２ａとを、各綴杆の開く方向とは反対側にずらせている。
更に、一方の第１綴杆２０の自由端１２２ｂと他方の第２綴杆４０の自由端１４２ｂとを、各綴杆の開く方向とは反対側にずらせている。
【００５４】
第１綴杆２０の根元部１２２ａと第２綴杆４０の根元部１４２ａとは、原点位置より逆方向に平行移動させて、且つ、第１綴杆２０及び第２綴杆４０は、回転させて、ヒンジ部１６に直交する垂線Ｌ6とのなす角度を開く方向とは反対側に向けて原点位置より３〜７°ずれた位置となるように構成され、綴杆部１２を構成されている。
ヒンジ部１６ののびる方向（ヒンジ部１６の薄肉部ののびる長手方向の中心軸線Ｌ1）とヒンジ部１６ののびる方向に直交する垂線Ｌ6との交点（原点Ｏ2）のまわりに３〜７°回転している。
前記一方の第１綴杆２０の頂部である自由端１２２ｂと他方の第２綴杆４０の頂部である自由端１４２ｂとは、原点位置より各々綴杆の開く方向とは反対側に向けて傾斜されている。
【００５５】
第１綴杆２０ののびる方向（中心軸線４２Ｌ6）は、ヒンジ部１６ののびる方向（ヒンジ部１６の薄肉部ののびる長手方向の中心軸線Ｌ1）に垂直に交わる垂線（Ｌ6）とのなす角度を３〜７°とし、且つ第１綴杆２０の開く方向とは反対側（手前側）に第１綴杆２０の根元部１２２ａと第２綴杆４０の根元部１４２ａとをずらせている。
第２綴杆４０ののびる方向（中心軸線４４Ｌ6）は、ヒンジ部１６ののびる方向（ヒンジ部１６の薄肉部ののびる長手方向の中心軸線Ｌ1）に垂直に交わる垂線（Ｌ6）とのなす角度を３〜７°とし、且つ第２綴杆４０の開く方向とは反対側（向こう側）に第２綴杆４０の根元部１４２ａと第１綴杆２０の根元部１２２ａとをずらせている。
而して、第１綴杆２０及び第２綴杆４０は、第１綴杆の綴杆係止部１２４及び第２綴杆の綴杆係止部１４４において堅固に係止される。しかし、綴杆部１２を開くときは、第１凹部４２及び第２凹部４４によって、第１綴杆２０は、綴杆部１２を開くときの開く方向である手前側にわん曲させ易く、且つ第２綴杆４０は、綴杆部１２を開くときの開く方向である向こう側にわん曲させ易い。
【００５６】
図２２及び図２３は、更に別の綴具１０を示す図解図である。
図２２図示綴具１０は、一対の綴杆部１２のうち一方の第１綴杆２０の根元部１２２ａと他方の第２綴杆４０の根元部１４２ａとを、原点位置（基準位置）より各綴杆の開く方向とは反対側にずらせている。
第１綴杆２０と第２綴杆４０とは、ヒンジ部１６ののびる方向に沿って、原点位置（基準位置）より反対方向に平行移動されて、第１綴杆２０は閉じる側である手前側に位置し、第２綴杆４０は、閉じる側である向こう側に位置している。
そして、綴杆部１２を開くときに、第１綴杆２０は開く方向である向こう側に撓め、第２綴杆４０は開く方向である手前側に撓められて、第１凹部４２及び第２凹部４４によって、第１綴杆２０が向こう側に向けて傾斜移動し、第２綴杆４０は手前側に向けて傾斜移動するように構成されている。
第１綴杆２０ののびる方向（中心軸線４２Ｌ7）は、ヒンジ部１６ののびる方向（ヒンジ部１６の薄肉部ののびる長手方向の中心軸線Ｌ1）と直交し、第２綴杆４０ののびる方向（中心軸線４４Ｌ7）は、ヒンジ部１６ののびる方向（ヒンジ部１６の薄肉部ののびる長手方向の中心軸線Ｌ1）と直交している。
而して、第１綴杆２０及び第２綴杆４０は、第１綴杆の綴杆係止部１２４及び第２綴杆の綴杆係止部１４４において堅固に係止される。しかし、綴杆部１２を開くときは、第１凹部４２及び第２凹部４４によって、第１綴杆２０は向こう側に傾け易く、第２綴杆４０は手前側に傾け易い。
【００５７】
この図１８図示綴具、図２０図示綴具及び図２２図示綴具は、図１図示綴具と同様な構造を備えている。
前記一対の綴杆部１２を構成する複数の綴杆は、半環状の第１綴杆２０及び第２綴杆４０が各々向き合って綴杆部１２を閉じたときに係合するように、前記ベース部１４を構成する一対のベース部１４の各々にその長手方向に適宜な間隔をおいて、ベース部１４の内側部ないし上側部から突設されている。すなわち、前記左右（表側と裏側）に分かれた一対の綴杆部１２は、前記ヒンジ部１６を中心にして左右に分かれた、正面視円弧状の第１綴杆２０及び正面視円弧状の第２綴杆４０を複数備える。
【００５８】
前記ベース部１４は、前記ヒンジ部１６を中心にして左右（表側と裏側）に分かれた、第１ベース部２２及び第２ベース部２４を備える。左側（表側）の第１ベース部２２及び右側（裏側）の第２ベース部２４は、向こう側から手前側に連続して長手方向に直線状にのびる略板状体である。
【００５９】
前記ヒンジ部１６は、前記ベース部１４（第１ベース部２２及び第２ベース部２４）の長手方向にのびて一対のベース部１４（第１ベース部２２と第２ベース部２４と）を連結し、前記第１綴杆２０の自由端１２２ｂと第２綴杆４０の自由端１４２ｂとを合わせて閉鎖するとき及び第１綴杆２０の自由端１２２ｂと第２綴杆４０の自由端１４２ｂとを離間させるときに回転中心となり、綴杆部１２に綴じられたリーフ１１０を第１綴杆２０及び第２綴杆４０に沿って捲り、３６０度捲りかえすことができるように構成されている。
【００６０】
綴杆部１２は、図２，図３，図４及び図６に示すように、第１綴杆２０及び第２綴杆４０のベース部１４に連設された根元部１２２ａ及び根元部１４２ａとは反対側の自由端１２２ｂ及び自由端１４２ｂに、第１綴杆２０及び第２綴杆４０を閉鎖したときに係止するための綴杆係止部を形成されている。すなわち、第１綴杆２０は、根元部１２２ａとは反対側の頂部である自由端１２２ｂに第１綴杆の綴杆係止部１２４を形成され、第２綴杆４０は、根元部１４２ａとは反対側の頂部である自由端１４２ｂに第２綴杆の綴杆係止部１４４を形成されている。
綴杆部１２は、根元部１２２ａ及び根元部１４２ａから頂部に至る高さ方向（垂直方向）と、第１綴杆２０の外周部（外側部）から第２綴杆４０の外周部（外側部）に至る幅方向（水平方向）とを備え、第１綴杆２０及び第２綴杆４０の厚さ（外周部と内周部との間の長さ）よりも、綴具の長さ方向における第１綴杆２０及び第２綴杆４０の幅の方が長い、断面長方形状である。そして、第１綴杆２０及び第２綴杆４０は、根元部１２２ａ及び根元部１４２ａから頂部に至るまで、リーフ１１０を捲ることができるように、リーフ１１０の綴じ穴１１２に貫挿される形状に構成されている。
前記第１綴杆の綴杆係止部１２４及び第２綴杆の綴杆係止部１４４は、係止する第１綴杆２０及び第２綴杆４０の回転方向と交差する方向に、すなわちヒンジ部１６の長手方向（薄肉部ののびる長手方向の中心軸線Ｌ1方向）に第１綴杆２０及び第２綴杆４０を相対移動して、第１綴杆２０及び第２綴杆４０の先端を合わせて閉鎖するときに係止し又は第１綴杆２０及び第２綴杆４０の先端を離間させるときに脱係するように形成されている。
【００６１】
第１綴杆２０は、閉じたときに略円環状の綴杆となるように、半円弧状の半割杆から構成され、第２綴杆４０は、閉じたときに略円環状の綴杆となるように、半円弧状の半割杆から構成され、第１綴杆２０と第２綴杆４０とは対向するように構成されている。
そして、リーフ１１０に予め穿設された綴じ穴１１２に挿通して、リーフ１１０を綴じることができるように、第１綴杆２０と第２綴杆４０との先端、すなわち第１綴杆２０及び第２綴杆４０の頂部において、第１綴杆の綴杆係止部１２４及び第２綴杆の綴杆係止部１４４が形成されている。
第１綴杆２０を構成する半割杆と第２綴杆４０を構成する半割杆とは、自由端１２２ｂの第１綴杆の綴杆係止部１２４と、自由端１４２ｂの第２綴杆の綴杆係止部１４４とを係止することにより、略円環状に連結される。
そして、綴杆部１２を開くときにおいては、第１綴杆２０と第２綴杆４０とは、その第１綴杆の綴杆係止部１２４及び第２綴杆の綴杆係止部１４４をそれぞれ逆方向に指で捩ることにより、係止された第１綴杆の綴杆係止部１２４及び第２綴杆の綴杆係止部１４４を外すことができるように構成されている。
【００６２】
一対の綴杆部１２のうち少なくとも一方の第２綴杆４０は、複数の綴杆を開かせるために、第２綴杆４０を並列された方向であるベース部１４の長手方向において、綴杆を部分的に変移させて手前側から向こう側又は向こう側から手前側に第２綴杆４０の頂部である自由端１４２ｂを傾斜させる、傾斜移動手段１８を有している。而して、前記一対の綴杆部１２は、傾斜移動手段１８によって傾斜した複数の第２綴杆４０と対向する複数の第１綴杆２０との間が離間し、且つ、ヒンジ部１６を中心にして開閉される。
この実施の形態においては、更に、複数の綴杆を開かせるために、第１綴杆２０を並列された方向であるベース部１４の長手方向において、綴杆を部分的に変移させて手前側から向こう側又は向こう側から手前側に第１綴杆２０の頂部である自由端１２２ｂを傾斜させる、傾斜移動手段１８を有している。
【００６３】
前記傾斜移動手段１８は、第１綴杆２０の根元部１２２ａもしくは根元部１２２ａの近傍において、第１綴杆２０を傾ける側（及び／又は第１綴杆２０を傾ける側とは反対側）に形成された凹部を含む第１凹部４２によって形成される。
前記傾斜移動手段１８は、第２綴杆４０の根元部１４２ａもしくは根元部１４２ａの近傍において、第２綴杆４０を傾ける側（及び／又は第２綴杆４０を傾ける側とは反対側）に形成された凹部を含む第２凹部４４によって形成される。
【００６４】
この発明は、前記実施の形態の綴具に限らず種々変更することができる。
傾斜移動手段１８は、第１綴杆２０及び第２綴杆４０を傾斜させるために、その他の構造を備えてもよい。
【産業上の利用可能性】
【００６５】
この発明にかかる綴具１０は、ファイル・バインダ類を構成する表紙の背表紙領域又は綴じ代領域の外側に固定して、用いることができ、又、単独で用いてもよい。
【符号の説明】
【００６６】
１０  綴具
１２  綴杆部
１４  ベース部
１６  ヒンジ部
１８，３１８  傾斜移動手段
２０  第１綴杆
２２  第１ベース部
２４  第２ベース部
４０  第２綴杆
４２，２４２  第１凹部
４４，２４４  第２凹部
５０  第１開口部分
５２  第２開口部分
５４  第３開口部分
５６  第４開口部分
６０  第１狭小部
６２  第２狭小部
６４  第１薄肉部
６６  第２薄肉部
７０  第１傾斜部
７２  第２傾斜部
８２  第１ベース部の対向部
８４  第１ベース部の外側部
８６  第１ベース部の下側部
８８  第１ベース部の上側部
９２  第２ベース部の対向部
９４  第２ベース部の外側部
９６  第２ベース部の下側部
９８  第２ベース部の上側部
１１０，１１１０  リーフ
１１０ａ  リーフの表側
１１０ｂ  リーフの裏側
１１２，１１１２，３１１２Ａ，３１１２Ｂ  綴じ穴
１１４  綴じ代側端縁
１１６Ａ，１１１６Ａ  表表紙
１１６Ａ1，１１１６Ａ1  第１摘み部
１１６Ａ2，１１６Ｂ2  折曲部
１１６Ｂ，１１１６Ｂ  裏表紙
１１６Ｂ1，１１１６Ｂ1  第２摘み部
１１６Ｃ，１１１６Ｃ  用箋
１２０  第１綴具部材
１２２ａ，１４２ａ  根元部
１２２ｂ，１４２ｂ  自由端
１２４  第１綴杆の綴杆係止部
１２６  第１綴杆の凸部
１２８  第１綴杆の凹部
１３０，１５０  脱係防止部
１３２，１５２  係止凸部
１３４，１５４  係止凹部
１４０  第２綴具部材
１４４  第２綴杆の綴杆係止部
１４６  第２綴杆の凸部
１４８  第２綴杆の凹部
２１８  傾斜移動部
２４２ａ，２４２ｂ，２４４ａ，２４４ｂ  隔壁
１１１６Ｃ1  第１切欠部
１１１６Ｃ2  第２切欠部
３１１６Ａ  第１変位板体
３１１６Ａ1  第１摘み部
３１１６Ｂ  第２変位板体
３１１６Ｂ1  第２摘み部
【図１】
2014046527.tif 000003
【図２】
2014046527.tif 000004
【図３】
2014046527.tif 000005
【図４】
2014046527.tif 000006
【図５】
2014046527.tif 000007
【図６】
2014046527.tif 000008
【図７】
2014046527.tif 000009
【図８】
2014046527.tif 000010
【図９】
2014046527.tif 000011
【図１０】
2014046527.tif 000012
【図１１】
2014046527.tif 000013
【図１２】
2014046527.tif 000014
【図１３】
2014046527.tif 000015
【図１４】
2014046527.tif 000016
【図１５】
2014046527.tif 000017
【図１６】
2014046527.tif 000018
【図１７】
2014046527.tif 000019
【図１８】
2014046527.tif 000020
【図１９】
2014046527.tif 000021
【図２０】
2014046527.tif 000022
【図２１】
2014046527.tif 000023
【図２２】
2014046527.tif 000024
【図２３】
2014046527.tif 000025
【図２４】
2014046527.tif 000026
【図２５】
2014046527.tif 000027
【図２６】
2014046527.tif 000028
【図２７】
2014046527.tif 000029
【図２８】
2014046527.tif 000030
【図２９】
2014046527.tif 000031
【図３０】
2014046527.tif 000032
【図３１】
2014046527.tif 000033
【図３２】
2014046527.tif 000034